(57)【要約】【課題】  採血時の血液の逆流を防止することができるとともに、血管を浮き上がり易くさせて容易に採血を行うことができる採血用枕を提供する。【解決手段】  採血時に被採血者１２の腕１４をアームダウン姿勢で支持するための採血用枕２である。この採血用枕２は、被採血者１２の腕１４を支持するための傾斜状の支持面６を有する枕本体４を備えている。また、支持面６の下端部には段差部１０が設けられている。これにより、被採血者１２の腕１４を支持面６に支持させると、被採血者１２の肩関節２６の屈曲角度は５５〜７０°となり、安楽な姿勢を保つことができる。また、手関節１８を段差部１０に向けて背屈させることができ、肘関節１６の伸展位を約０°に容易に保持させることができる。【選択図】  図３
2011188968.tif 000002
【特許請求の範囲】
【請求項１】
採血時に被採血者の腕をアームダウン姿勢で支持するための採血用枕であって、
被採血者の腕の少なくとも肘関節から手関節までの部位を支持するための支持面を有する枕本体を備え、前記支持面は、被採血者の肩関節の屈曲角度が５５〜７０°となるように傾斜状に構成され、前記支持面の下端部には段差部が設けられ、前記段差部の高さは、被採血者の手関節が背屈可能な高さに構成されていることを特徴とする採血用枕。
【請求項２】
前記段差部の高さは３〜５ｃｍであることを特徴とする請求項１に記載の採血用枕。
【請求項３】
前記支持面の下端部の前方には握り棒が設けられていることを特徴とする請求項１又は２に記載の採血用枕。
【請求項４】
前記支持面には、被採血者の腕の少なくとも一部を収容保持するための保持用凹部が設けられ、前記保持用凹部は前記支持面の長さ方向に延びており、その深さは、前記支持面の下端部から上端部に向けて漸増されていることを特徴とする請求項１〜３のいずれかに記載の採血用枕。
【請求項５】
前記枕本体の下面には、着座した被採血者の大腿部に支持される支持用凹部が設けられていることを特徴とする請求項１〜４のいずれかに記載の採血用枕。
【請求項６】
前記枕本体は、前記支持面を有する上枕本体と、前記上枕本体の下面に着脱自在に取り付けられる下枕本体と、を備え、前記下枕本体の下面には前記支持用凹部が設けられていることを特徴とする請求項５に記載の採血用枕。
【請求項７】
前記枕本体に関連して、前記枕本体を下方より支持するためのスタンド部材が設けられ、前記スタンド部材は、高さ調節機構を有するスタンド本体部と、前記スタンド本体部の上端部に設けられた装着部と、を備え、前記枕本体の下面には装着用凹部が設けられ、前記装着用凹部には、前記スタンド部材の前記装着部が着脱自在に装着されることを特徴とする請求項１〜４のいずれかに記載の採血用枕。
【発明の詳細な説明】
【技術分野】
【０００１】
本発明は、採血時に被採血者の腕を支持するための採血用枕に関する。
【背景技術】
【０００２】
例えば病院や診療所等で静脈血採血（以下、「採血」という）を行う際には、被採血者の腕を支持するための採血用枕が用いられている。従来の採血用枕は、被採血者の腕を支持するためのブロック状の枕本体と、枕本体を下方より支持するためのスタンド部材と、を備えている（例えば、特許文献１参照）。スタンド部材には、枕本体の床面からの高さ位置を調節するための高さ調節機構が設けられている。
【先行技術文献】
【特許文献】
【０００３】
【特許文献１】実開平７−３１００６号公報
【発明の概要】
【発明が解決しようとする課題】
【０００４】
上述したタイプの採血用枕では、次のような問題がある。採血を行う際には、被採血者は、着座した姿勢で腕を枕本体の上面に載置するようになる。しかしながら、枕本体の床面からの高さ位置が高い場合には、腕が床面に対して略平行となり、注射針を刺す腕の部位（例えば肘窩）が心臓よりも高い位置となるため、採血した血液が血管内に逆流するおそれがある。また、枕本体の床面からの高さ位置が低い場合には、被採血者の肘関節は屈曲した状態となるため、肘窩の静脈内圧が上昇せずに血管が浮き上がり難く、採血を容易に行うことができない。
【０００５】
本発明の目的は、採血時の血液の逆流を防止することができるとともに、血管を浮き上がり易くさせて容易に採血を行うことができる採血用枕を提供することである。
【課題を解決するための手段】
【０００６】
本発明の請求項１に記載の採血用枕では、採血時に被採血者の腕をアームダウン姿勢で支持するための採血用枕であって、
被採血者の腕の少なくとも肘関節から手関節までの部位を支持するための支持面を有する枕本体を備え、前記支持面は、被採血者の肩関節の屈曲角度が５５〜７０°となるように傾斜状に構成され、前記支持面の下端部には段差部が設けられ、前記段差部の高さは、被採血者の手関節が背屈可能な高さに構成されていることを特徴とする。
【０００７】
また、本発明の請求項２に記載の採血用枕では、前記段差部の高さは３〜５ｃｍであることを特徴とする。
【０００８】
また、本発明の請求項３に記載の採血用枕では、前記支持面の下端部の前方には握り棒が設けられていることを特徴とする。
【０００９】
また、本発明の請求項４に記載の採血用枕では、前記支持面には、被採血者の腕の少なくとも一部を収容保持するための保持用凹部が設けられ、前記保持用凹部は前記支持面の長さ方向に延びており、その深さは、前記支持面の下端部から上端部に向けて漸増されていることを特徴とする。
【００１０】
また、本発明の請求項５に記載の採血用枕では、前記枕本体の下面には、着座した被採血者の大腿部に支持される支持用凹部が設けられていることを特徴とする。
【００１１】
また、本発明の請求項６に記載の採血用枕では、前記枕本体は、前記支持面を有する上枕本体と、前記上枕本体の下面に着脱自在に取り付けられる下枕本体と、を備え、前記下枕本体の下面には前記支持用凹部が設けられていることを特徴とする。
【００１２】
また、本発明の請求項７に記載の採血用枕では、前記枕本体に関連して、前記枕本体を下方より支持するためのスタンド部材が設けられ、前記スタンド部材は、高さ調節機構を有するスタンド本体部と、前記スタンド本体部の上端部に設けられた装着部と、を備え、前記枕本体の下面には装着用凹部が設けられ、前記装着用凹部には、前記スタンド部材の前記装着部が着脱自在に装着されることを特徴とする。
【発明の効果】
【００１３】
本発明の請求項１に記載の採血用枕によれば、支持面は傾斜状に構成されているので、被採血者の腕はアームダウン姿勢で支持面に支持されるようになり、これにより注射針を刺す腕の部位（例えば肘窩）が心臓よりも低い位置となるため、血液の逆流を防止することができる。また、支持面は、被採血者の肩関節の屈曲角度が５５〜７０°となるように傾斜状に構成されている（換言すると、支持面の鉛直方向に対する角度が、肩関節の屈曲角度よりも約５°だけ大きい６０〜７５°である）ので、肘関節を伸展させた状態で腕を支持面に容易に支持させることができ、これにより、被採血者は安楽な姿勢を保つことができ、苦痛を感じることなく採血を受けることができる。また、支持面の下端部には段差部が設けられているので、被採血者の腕を支持面に支持させた際に、手関節を段差部に向けて背屈させることができる。この手関節の背屈によって生理学的に肘関節が伸展するようになり、肘関節の伸展位が約０°に保持される。これにより、肘窩の静脈内圧が高まって血管が浮き上がるようになり、採血を容易に行うことができる。また、一般に、被採血者の腕に対する注射針の刺入角度は約３０°であるが、被採血者の肩関節の屈曲角度を例えば約６０°に保持することにより、注射器（又は真空採血管）は地面に対して略平行となり、採血を容易に行うことができる。
【００１４】
また、本発明の請求項２に記載の採血用枕によれば、段差部の高さは３〜５ｃｍであるので、手関節を段差部に向けて確実に背屈させることができる。また、手関節を背屈させた際に、手指の背側（又は拳部分）が枕本体の載置面（例えばテーブルの上面）に接触するようになり、これにより手関節を背屈させた所要の状態に容易に保持することができる。
【００１５】
また、本発明の請求項３に記載の採血用枕によれば、支持面の下端部の前方には握り棒が設けられているので、この握り棒を手で把持することにより、被採血者の腕を支持面に安定して支持させることができるとともに、駆血効果によって血管を効果的に浮き上がらせることができる。
【００１６】
また、本発明の請求項４に記載の採血用枕によれば、支持面には保持用凹部が設けられているので、被採血者の腕の少なくとも一部（例えば、肘関節から手関節までの部位）をこの保持用凹部に収容保持させることにより、被採血者の腕を支持面に安定して支持させることができる。また、保持用凹部は支持面の長さ方向に延びており、その深さは、支持面の下端部から上端部に向けて漸増されているので、肘関節が支持面の上端部（保持用凹部の深さが深い部位）に収容保持されるとともに、手関節が支持面の下端部（保持用凹部の深さが浅い部位）に収容保持されるようになる。一般に、肘関節の太さは手関節の太さよりも太いので、上述のように収容保持されることにより、被採血者の腕の肘関節から手関節までの部位を保持用凹部に安定して収容保持することができる。
【００１７】
また、本発明の請求項５に記載の採血用枕によれば、枕本体の下面には、着座した被採血者の大腿部に支持される支持用凹部が設けられているので、枕本体を載置するためのテーブルなどがない場合であっても、枕本体を被採血者の大腿部に支持させることができ、採血を行う場所の自由度を高めることができる。また、被採血者の腕を支持面に支持させると、枕本体が被採血者の大腿部に押さえ付けられるようになるので、枕本体を安定して支持することができる。
【００１８】
また、本発明の請求項６に記載の採血用枕によれば、枕本体は、支持面を有する上枕本体と、支持用凹部を有する下枕本体とに分割可能であるので、下枕本体を上枕本体から取り外すことにより、上枕本体をテーブルの上などに載置して使用することができる。従って、用途等に応じて、２通りの使用方法（即ち、下枕本体を上枕本体に取り付けて枕本体を被採血者の大腿部に支持して使用する方法及び下枕本体を上枕本体から取り外して上枕本体をテーブルの上面などに載置して使用する方法）を適宜選択することができる。
【００１９】
また、本発明の請求項７に記載の採血用枕によれば、枕本体を下方より支持するためのスタンド部材が設けられているので、被採血者の身長等に応じて、スタンド本体部の高さ調節機構により枕本体の床面からの高さ位置を適宜調節することができる。
【図面の簡単な説明】
【００２０】
【図１】本発明の一実施形態による採血用枕を示す斜視図である。
【図２】図１の採血用枕の側面図である。
【図３】図１の採血用枕の使用状態を示す斜視図である。
【図４】図３中のＡ−Ａ線による採血用枕の断面図である。
【図５】本発明の他の実施形態による採血用枕を示す斜視図である。
【図６】図５の採血用枕の分解斜視図である。
【図７】図５の採血用枕の使用状態を示す斜視図である。
【図８】図５の採血用枕の他の使用形態を示す斜視図である。
【発明を実施するための形態】
【００２１】
以下、添付図面を参照して、本発明に従う採血用枕の一実施形態について説明する。図１は、本発明の一実施形態による採血用枕を示す斜視図であり、図２は、図１の採血用枕の側面図であり、図３は、図１の採血用枕の使用状態を示す斜視図であり、図４は、図３中のＡ−Ａ線による採血用枕の断面図である。
【００２２】
図１及び図２を参照して、図示の採血用枕２は、断面略直角三角形状の枕本体４を備えている。枕本体４には傾斜状の支持面６が設けられており、支持面６の幅方向中央部には、その長さ方向に延びる保持用凹部８が設けられている。保持用凹部８の深さは、支持面６の下端部から上端部に向けて漸増されている（図２参照）。これにより、支持面６の幅方向中央部（保持用凹部８）の鉛直方向（図２において上下方向）に対する角度θ１は、支持面６の幅方向両端部の鉛直方向に対する角度θ２よりも大きく構成されるようになる。本実施形態では、角度θ１は６５°に設定され、また角度θ２は６０°に設定されている。
【００２３】
また、支持面６の下端部には段差部１０が設けられており、この段差部１０によって、支持面６の下端縁は、枕本体４の下面よりも所定高さｈ（例えば４ｃｍ程度）だけ高い位置に位置されるようになる。
【００２４】
また、枕本体４は、クッション材（図示せず）と、クッション材を覆うカバー（図示せず）とから構成されている。クッション材は、例えばウレタンなどの低反発性素材から形成され、またカバーは、例えばポリエステルやレザーなどから形成されている。なお、カバーは、滑り難い材質のものを用いるのが好ましい。
【００２５】
なお、枕本体４のサイズは、高さＨ：１８ｃｍ、幅Ｗ：２０ｃｍ、支持面６の長さＬ：２７ｃｍに構成されている。支持面６の長さＬは、被採血者１２の腕１４の少なくとも肘関節１６から手関節１８までの部位を支持可能な長さ、例えば２６〜３０ｃｍ程度に構成するのが好ましく、このように構成することにより、被採血者１２の肘関節１６が支持面６に確実に支持され、後述するように肘関節１６の伸展位を約０度に確実に保持させることができる。
【００２６】
支持面６の下端部における両端部にはそれぞれ、接続部２０が前方（図２において左方向）に延びて設けられている。これら一対の接続部２０の各先端部には、略水平方向に延びる握り棒２２が支持されている。握り棒２２の高さ位置は、支持面６の下端縁と同じ高さ位置又はこれよりも幾分低い高さ位置に設定される。
【００２７】
図３及び図４をも参照して、上述した採血用枕２の使用方法について説明する。まず、枕本体４を例えばテーブル２３の上面（載置面）に載置する。被採血者１２は、採血する腕１４の少なくとも肘関節１６から手関節１８までの部位を支持面６の保持用凹部８に支持させるとともに、握り棒２２を手２４で把持する。このとき、枕本体４のクッション材は低反発性素材から形成されているので、被採血者１２の腕１４が保持用凹部８にやや沈み込むようになり、腕１４が支持面６に安定して支持される。一般に、肘関節１６の太さは手関節１８の太さよりも太いので、肘関節１６が支持面６の上端部（保持用凹部８の深さが深い部位）に支持されるとともに、手関節１８が支持面６の下端部（保持用凹部８の深さが浅い部位）に支持されることにより、被採血者１２の腕１４の肘関節１６から手関節１８までの部位を保持用凹部８に安定して収容保持することができる。
【００２８】
被採血者１２の腕１４を支持面６の保持用凹部８に支持させると、腕１４の中心軸線は、支持面６の幅方向両端部と略平行となるので、被採血者１２の肩関節２６の屈曲角度θ３（即ち、腕１４の中心軸線の鉛直方向に対する角度）は、支持面６の幅方向両端部の鉛直方向に対する角度θ２とほぼ等しい約６０°となる。換言すると、肩関節２６の屈曲角度θ３は、支持面６の保持用凹部８の鉛直方向に対する角度θ１よりも約５°だけ小さい角度となる。これにより、腕１４がアームダウン姿勢で支持面６に支持され、肘関節１６の位置を心臓（心尖部）よりも低くすることができる。また、肘関節１６を伸展させた状態で腕１４を支持面６に容易に支持させることができ、それ故に、被採血者１２は安楽な姿勢を保つことができ、苦痛を感じることなく採血を受けることができる。
【００２９】
なお、このように肘関節１６の位置を心臓よりも低くするとともに、苦痛を感じることなく採血を受けるためには、被採血者１２の肩関節２６の屈曲角度θ３は５５〜７０°（換言すると、支持用凹部８の鉛直方向に対する角度θ１は６０〜７５°）であるのが好ましく、６０〜６５°（換言すると、支持用凹部８の鉛直方向に対する角度θ１は６５〜７０°）であるのがより好ましい。屈曲角度θ３が５５°よりも小さいと、被採血者１２の肘関節１６が過伸展となり、無理な体勢を維持しなければならないために苦痛を感じるようになる。また、屈曲角度θ３が７０°よりも大きいと、被採血者１２の肘関節１６の位置が心臓よりも高くなり、採血した血液が血管内に逆流するおそれがある。
【００３０】
また、支持面６の下端部には段差部１０が設けられているので、握り棒２２を手２４で把持した際に、被採血者１２の手関節１８を段差部１０に向けて背屈角度θ４（２０〜３０°程度）で背屈させることができる。この手関節１８の背屈によって、生理学的に肘関節１６が伸展するようになる。このように、アームダウン姿勢で肘関節１６の伸展位を約０度に保持するとともに、握り棒２２を手４で把持することにより、肘窩２８の静脈内圧が高まって血管が浮き上がるようになる。
【００３１】
なお、段差部１０の高さｈは、３．０〜５．０ｃｍであるのが好ましく、３．５〜４．５ｃｍであるのがより好ましい。段差部１０の高さｈをこのように構成することにより、手関節１８を確実に背屈させることができ、また、手関節１８を背屈させた際に手指の背側（又は拳部分）がテーブル２３の上面に接触するようになり、手関節１８を背屈させた所要の状態に容易に保持することができる。段差部１０の高さｈが３．０ｃｍよりも小さいと、手関節１８を十分に背屈させることができず、また、段差部１０の高さｈが５．０ｃｍよりも大きいと、手関節１８を背屈させた際に手指の背側（又は拳部分）がテーブル２３の上面に接触せず、手関節１８を背屈させた状態に保持するのが難しくなる。
【００３２】
上述のように腕１４を支持面６に支持させた後に、被採血者１２の上腕部に駆血帯（図示せず）を巻き付け、例えば肘窩２８に消毒を施した後に注射器３０の注射針３２を刺し、採血を行う。上述のように注射針３２を刺す肘関節１６の位置は心臓よりも低いので、血液の逆流を防止することができる。なお、一般に、被採血者１２の腕１４に対する注射針３２の刺入角度θ５は約３０°であるが、本実施形態では、被採血者１２の肩関節２６の屈曲角度θ３は約６０°であるので、注射器３０は地面に対して略平行となり、採血を容易に行うことができる。
【００３３】
次に、図５〜図８を参照して、他の実施形態の採血用枕について説明する。図５は、本発明の他の実施形態による採血用枕を示す斜視図であり、図６は、図５の採血用枕の分解斜視図であり、図７は、図５の採血用枕の使用状態を示す斜視図であり、図８は、図５の採血用枕の他の使用状態を示す斜視図である。なお、本実施形態において、上記実形態と実質上同一の構成要素には同一の符号を付し、その説明を省略する。
【００３４】
図５及び図６を参照して、図示の採血用枕２Ａでは、枕本体４Ａは、支持面６を有する上枕本体３４と、上枕本体３４の下面に着脱自在に取り付けられる下枕本体３６と、を有している。上枕本体３４の下面には一対の取付用孔３７が上方に延びて設けられており、上枕本体３４の他の構成は、上記実施形態の枕本体４とほぼ同様である。下枕本体３６の下面には、断面略円弧状の支持用凹部３８が前後に延びて設けられている。また、下枕本体３６の上面には、上枕本体３４の一対の取付用孔３７に対応して一対の取付用ピン４０が上方に延びて設けられている。取付用ピン４０を取付用孔３７に挿入することにより、下枕本体３６が上枕本体３４の下面に取り付けられる。
【００３５】
図７をも参照して、上述した採血用枕２Ａの使用方法について説明する。まず、下枕本体３６を上枕本体３４の下面に取り付けた状態で、下枕本体３６の支持用凹部３８を椅子４２に着座した被採血者１２の大腿部４４に支持させる。そして、上記実施形態と同様に、被採血者１２の腕１４を支持面６に支持させて採血を行う。従って、枕本体４Ａを載置するためのテーブルなどがない場合でも、枕本体４Ａを被採血者１２の大腿部４４に支持させることができ、採血を行う場所の自由度を高めることができる。また、被採血者１２の腕１４を支持面６に支持させると、枕本体４Ａが被採血者１２の大腿部４４に押さえ付けられるようになるので、枕本体４Ａを安定して支持することができる。
【００３６】
なお、下枕本体３６を上枕本体３４から取り外し、上枕本体３４をテーブルの上などに載置することにより、この上枕本体３４を上記実施形態と同様の方法で使用することもできる。
【００３７】
あるいは、図８に示すように、枕本体４Ａを下方より支持するためのスタンド部材４６を用いることもできる。このスタンド部材４６は、スタンド本体部４８と、スタンド本体部４８の上端部に設けられたブロック状の枕本体５０（装着部を構成する）と、を備えている。スタンド本体部４８には、枕本体５０の床面からの高さ位置を調節するための高さ調節機構（図示せず）が設けられている。なお、スタンド部材４６としては既製品を用いることができる。また、採血用枕２Ｂの枕本体４Ｂは、支持面６を有する上枕本体３４と、上枕本体３４の下面に着脱自在に取り付けられる下枕本体３６Ｂと、を有している。下枕本体３６Ｂの下面には、スタンド部材４６の枕本体５０の形状に対応した形状を有する装着用凹部５２が設けられている。この装着用凹部５２をスタンド部材４６の枕本体５０に着脱自在に装着することにより、枕本体４Ｂがスタンド部材４６の枕本体５０に支持されるようになる。従って、枕本体４Ｂの高さ位置を調節したい場合などには、枕本体４Ａをこのスタンド部材４６の上端部に支持して使用することができる。なお、装着部を枕本体５０から構成したが、例えばプレート状の取付金具などから構成することもできる。
【００３８】
本実施形態では、上枕本体３４と下枕本体３６（３６Ｂ）とを別体に構成したが、これらを一体的に構成することもできる。かかる場合には、枕本体４Ａ（４Ｂ）の下面に支持用凹部３８（装着用凹部５２）が設けられるようになる。
【００３９】
また、上述した支持用凹部３８を装着用凹部として用い、スタンド部材４６の枕本体５０に支持用凹部３８を装着するようにしてもよい。かかる場合には、用途等に応じて、３通りの使用方法（即ち、下枕本体３６を上枕本体３４から取り外して上枕本体３４をテーブル２３の上面などに載置して使用する方法、下枕本体３６を上枕本体３４に取り付けて枕本体４Ａを被採血者１２の大腿部４４に支持して使用する方法及び下枕本体３６を上枕本体３４に取り付けて枕本体４Ａをスタンド部材４６の上端部に支持して使用する方法）を適宜選択することができる。
【００４０】
以上、本発明に従う採血用枕の各種実施形態について説明したが、本発明はかかる実施形態に限定されるものではなく、本発明の範囲を逸脱することなく種々の変形乃至修正が可能である。
【００４１】
上記各実施形態では、支持面６の下端部の前方に握り棒２２を設けるように構成したが、この握り棒２２を省略してもよい。また、支持面６に保持用凹部８を設けるように構成したが、この保持用凹部８を省略してもよい。
【００４２】
また、上記各実施形態では、握り棒２２の両端部を一対の接続部２０により支持するように構成したが、接続部２０を１つのみ設け、この接続部２０により握り棒２２の一端部を支持するように構成してもよい。
【符号の説明】
【００４３】
２，２Ａ，２Ｂ  採血用枕
４，４Ａ，４Ｂ  枕本体
６  支持面
８  保持用凹部
１０  段差部
１２  被採血者
１４  腕
１６  肘関節
１８  手関節
２２  握り棒
２６  肩関節
３４  上枕本体
３６，３６Ｂ  下枕本体
３８  支持用凹部
４４  大腿部
４６  スタンド部材
４８  スタンド本体部
５０  枕本体（装着部）
５２  装着用凹部
【図１】
2011188968.tif 000003
【図２】
2011188968.tif 000004
【図３】
2011188968.tif 000005
【図４】
2011188968.tif 000006
【図５】
2011188968.tif 000007
【図６】
2011188968.tif 000008
【図７】
2011188968.tif 000009
【図８】
2011188968.tif 000010